(57)【要約】【課題】肌に衝突した際の衝撃緩和と肌面への追従性の向上。【解決手段】グリップ１０１と、グリップ１０１の一端部外方に配置され、体毛に対して作用する処理部１２１を有するヘッド１０２と、グリップ１０１とヘッド１０２とを接続する継手部１０３とを備える体毛処理機１００であって、継手部１０３は、グリップ１０１、および、ヘッド１０２の一方に接続される基礎部１３１と、他方に接続され、グリップ１０１とヘッド１０２との並び方向に交差する平面であるスライド面において、所定領域内でスライド移動可能に保持されるスライド部１３２とを備える体毛処理機１００。【選択図】図２
2018192250.tif 000002
【特許請求の範囲】
【請求項１】
グリップと、前記グリップの一端部外方に配置され、体毛に対して作用する処理部を有するヘッドと、前記グリップと前記ヘッドとを接続する継手部とを備える体毛処理機であって、
前記継手部は、
前記グリップ、および、前記ヘッドの一方に接続される基礎部と、
前記グリップ、および、前記ヘッドの他方に接続され、前記グリップと前記ヘッドとの並び方向に交差する平面であるスライド面において、所定領域内でスライド移動可能に保持されるスライド部とを備える
体毛処理機。
【請求項２】
前記継手部は、
前記基礎部に対する前記スライド部の移動を、回動方向のスライド移動、および、一軸方向のスライド移動に規制する第一規制部を備える
請求項１に記載の体毛処理機。
【請求項３】
前記第一規制部は、
前記一軸方向に延在する溝と、
前記溝に対しスライド移動可能かつ回動可能に係合する第一突部とを備える
請求項２に記載の体毛処理機。
【請求項４】
前記継手部は、
前記基礎部、および、前記スライド部の一方に備えられ、前記第一突部と同じ方向に突出する第二突部と、
前記基礎部、および、前記スライド部の他方に備えられ、スライド部の前記一軸方向へのスライド移動および第一突部を中心とする回動方向のスライド移動に伴って第二突部が移動することを所定範囲内で許容する穴とを有する第二規制部を備える
請求項３に記載の体毛処理機。
【請求項５】
前記スライド面において、前記基礎部に対し前記スライド部を所定方向に付勢する付勢部材を備える
請求項１から４のいずれか一項に記載の体毛処理機。
【請求項６】
前記付勢部材は、前記一軸方向に付勢する
請求項２を引用する請求項５に記載の体毛処理機。
【請求項７】
前記付勢部材は、
前記スライド面に並んで配置され、前記一軸方向に付勢する第一付勢部材と第二付勢部材とを備える
請求項６に記載の体毛処理機。
【請求項８】
前記基礎部に対し前記スライド部を解除可能に固定する第一固定部材を備える
請求項１から７のいずれか一項に記載の体毛処理機。
【請求項９】
前記継手部を前記グリップと前記ヘッドとの並び方向に所定範囲内で移動可能に保持する第一保持部を備え、
前記第一固定部材は、
前記基礎部と前記スライド部とを固定した状態で前記第一保持部に対する前記継手部の移動を解除可能に固定する請求項８に記載の体毛処理機。
【請求項１０】
前記継手部に対し前記第一突部の軸線と交差する方向の軸線を中心に回動可能に保持され、前記ヘッドを揺動可能に保持する第二保持部と、
前記グリップに対し前記第二保持部および前記ヘッドを解除可能に固定する第二固定部材と、
前記第一固定部材と前記第二固定部材とを同時に移動させてそれぞれの固定とそれぞれの解除を同時に操作する操作部材とを備える
請求項８または９に記載の体毛処理機。
【発明の詳細な説明】
【技術分野】
【０００１】
本発明は、体毛処理機に関する。
【背景技術】
【０００２】
従来の電気かみそりなどの体毛処理機は、人の手によって把持されるグリップと、体毛などを処理する処理部を備えるヘッドと、グリップに対してヘッドを揺動させる支持部とを備えている。
【０００３】
例えば、特許文献１には、グリップに対しヘッドを異なる二軸方向に揺動可能な支持部を備え、さらに、グリップに対しヘッドが出退できる体毛処理機（電気かみそり）が開示されている。
この体毛処理機によれば、ヘッドが前後方向又は左右方向に揺動して肌に追従しやすくなり、また、ヘッドが肌に押し当てられる際に、ヘッドが本体に対して沈むことにより、肌への衝撃が緩和される。
【先行技術文献】
【特許文献】
【０００４】
【特許文献１】特開２０１６−１０１３６６号公報
【発明の概要】
【発明が解決しようとする課題】
【０００５】
しかしながら、従来の体毛処理機では、ヘッドが肌に押し当てられるときの相対的な位置関係によっては、肌への衝撃が良好に緩和されない場合もあり得る。
【０００６】
本発明は、ヘッドが肌に押し当てられるときの肌への衝撃を、従来よりも良好に緩和できる体毛処理機の提供を目的としている。
【課題を解決するための手段】
【０００７】
本発明の１つである体毛処理機は、グリップと、前記グリップの一端部外方に配置され、体毛に対して作用する処理部を有するヘッドと、前記グリップと前記ヘッドとを接続する継手部とを備える体毛処理機であって、前記継手部は、前記グリップ、および、前記ヘッドの一方に接続される基礎部と、前記グリップ、および、前記ヘッドの他方に接続され、前記グリップと前記ヘッドとの並び方向に交差する平面であるスライド面において、所定領域内でスライド移動可能に保持されるスライド部とを備える。
【発明の効果】
【０００８】
上記体毛処理機は、ヘッドが肌に押し当てられるときの肌への衝撃を、従来よりも良好に緩和できる。
【図面の簡単な説明】
【０００９】
【図１】図１は、体毛処理機の外観を示す斜視図である。
【図２】図２は、体毛処理機の継手部分を分解して示す斜視図である。
【図３】図３は、継手部を示す斜視図である。
【図４】図４は、継手部を示す上面図である。
【図５】図５は、継手部を示す正面図である。
【図６】図６は、継手部を示す底面図である。
【図７】図７は、継手部の動作状態を示す底面図である。
【図８】図８は、継手部の他の動作状態を示す底面図である。
【図９】図８は、継手部の他の動作状態を示す底面図である。
【図１０】図１０は、継手部の他の動作状態を示す底面図である。
【図１１】図１１は、継手部の他の動作状態を示す底面図である。
【図１２】図１２は、継手部およびその近傍を分解して示す斜視図である。
【図１３】図１３は、図１２に記載される部材を組み立てた状態を示す断面斜視図である。
【図１４】図１４は、体毛処理機を背方から示す平面図である。
【発明を実施するための形態】
【００１０】
次に、本発明に係る体毛処理機の実施の形態について、図面を参照しつつ説明する。なお、以下の実施の形態は、本発明に係る体毛処理機の一例を示したものに過ぎない。従って本発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００１１】
また、図面は、本発明を示すために適宜強調や省略、比率の調整を行った模式的な図となっており、実際の形状や位置関係、比率とは異なる場合がある。
【００１２】
以下に、本発明の実施の形態に係る体毛処理機について、図１を参照しながら、説明する。
【００１３】
図１は、体毛処理機の外観を示す斜視図である。図２は、体毛処理機の継手部分を分解して示す斜視図である。
【００１４】
これらの図に示すように、体毛処理機１００は、体毛などを切断、または、ひき抜くなどの処理をする機器であって、グリップ１０１と、ヘッド１０２と、継手部１０３とを備えている。本実施の形態の場合、体毛処理機１００として電気かみそりを例示して説明する。また、以降の説明において、グリップ１０１の正面と背面の対向方向を前後方向（正面が前方で背面が後方）、グリップとヘッドの並び方向を上下方向（相対的にヘッドが上でグリップが下）、前後方向及び上下方向と直交する方向を左右方向として説明する場合がある。
【００１５】
グリップ１０１は、体毛処理機１００を使用する際に人が手に持つ部分であって、手になじむ外観形状の筒状の筐体内に電力を供給する電力供給部、および、各種制御を行う回路基板などが収容される部材である。また、グリップ１０１の正面側には、電源のオンおよびオフを切り替えることができる電源スイッチ１１１が設けられ、グリップ１０１の背面側にはグリップ１０１に対しヘッド１０２の揺動などを解除可能に固定する操作部材（後述）などが設けられている。
【００１６】
ヘッド１０２は、グリップ１０１の一端部外方に配置され、肌と接触することにより肌に生えている体毛などを直接処理する部分であり、体毛を切断する外刃と内刃とを有する刃ブロックである処理部１２１を複数備えている。また、ヘッド１０２は、端部において外刃が露出するように処理部１２１を保持するヘッドケース１２２、ヘッドケース１２２内に収容されて複数の処理部１２１の内刃を駆動する駆動源、および、駆動を内刃に伝達する伝達機構（図示せず）を備えている。また、ヘッドケース１２２は、複数の処理部１２１が配置される上部ケース、および、継手部１０３を介してグリップ１０１に接続される下部ケースを備えており下ケースに上ケースを取り付けることによりヘッドケース１２２が構成される。ヘッド１０２は、前後方向の揺動、左右方向の揺動、上下方向の移動が可能である。
【００１７】
なお、本実施の形態の場合、処理部１２１は、外刃に対し内刃が一軸方向（左右方向）に往復動する振動型のものを例示しているが、処理部１２１の種類は特に限定されるものではなく回転型の処理部１２１など任意の処理部１２１を採用することができる。
【００１８】
図３は、継手部を示す斜視図である。図４は、継手部を示す上面図である。図５は、継手部を示す正面図である。図６は、継手部を示す底面図である。
【００１９】
これらの図に示す継手部１０３は、グリップ１０１に対しヘッド１０２を所定方向に移動可能に接続する機構部材であり、基礎部１３１とスライド部１３２とを備えている。
【００２０】
基礎部１３１は、グリップ１０１、および、ヘッド１０２のいずれか一方に直接又は間接に接続される部材である。本実施の形態の場合、基礎部１３１は、グリップ１０１側に接続されている。基礎部１３１は、スライド面（図中ＸＹ平面に平行な面）に配置される略矩形の底面部１３４と底面部１３４の周縁に立設される側壁部１３３とを備える略矩形箱状の部材であり、四隅にはそれぞれ柱部１３５が設けられている。基礎部１３１は、グリップ１０１とヘッド１０２との並び方向に交差するスライド面においてスライド部１３２がスライド移動可能なように収容し、かつ、スライド面に直交する方向（図中Ｚ軸方向あるいは上下方向）にはスライド部１３２が固定されるように収容している。  スライド部１３２は、グリップ１０１、および、ヘッド１０２の他方に直接又は間接に接続される部材である。本実施の形態の場合、スライド部１３２は、ヘッド１０２に接続されている。スライド部１３２は、スライド面において、所定領域内でスライド移動可能に基礎部１３１に保持される部材であり、基礎部１３１に収容された状態において、基礎部１３１の底面部１３４の内側の面とスライド部１３２の外側の底面とが面接触した状態で収容されるものとなっている。また、スライド部１３２は、後述の第二保持部１０５が揺動可能に取り付けられる軸受部等も備えている。
【００２１】
以上の継手部１０３によってグリップ１０１とヘッド１０２とが接続されることにより、ヘッド１０２がグリップ１０１に対してスライド面上でスライド変位可能となり、ヘッド１０２の可動範囲が広がる。これにより、ヘッド１０２が肌に押し当てられるときの相対的な位置関係にかかわらず、肌に対するヘッド１０２の衝撃が良好に緩和される。
【００２２】
また、グリップ１０１に対するヘッド１０２の動きがフレキシブルになり、肌に対するヘッド１０２の追随性が向上し、処理部１２１の外刃が並ぶ面である刃面の肌への密着が向上し、剃り性能が良くなる。
【００２３】
また、本実施の形態の場合図６に示すように、継手部１０３はさらに、第一規制部１６１と、第二規制部１６２とを備えている。これらの規制部は、ヘッド１０２がグリップ１０１に対してスライド面上で変位できる範囲をさらに規制する。
【００２４】
第一規制部１６１は、基礎部１３１に対するスライド部１３２の移動を、回動方向のスライド移動、および、一軸方向である前後方向（図中Ｘ軸方向）のスライド移動に規制する構造部分である。本実施の形態の場合、具体的に第一規制部１６１は、前後方向に延在する長孔状の溝１６５と、溝１６５に挿入され、溝１６５に対し前後方向にスライド可能、かつ、溝１６５に対して回動可能に係合する第一突部１６７とで構成されている。第一突部１６７は、溝１６５の幅とほぼ同じ直径を備えた円柱状の部材である。この第一突部１６７は、前後方向の移動と回動のどちらか一方のみの動きに限らず、移動しながら回動するという両方の動きを同時に行うこともできる。
【００２５】
本実施の形態の場合、溝１６５は、基礎部１３１の底面部１３４に無底状態で設けられたスリットである。第一突部１６７は、スライド部１３２に底面から突出するように一体に設けられている。
【００２６】
この第一規制部１６１により、スライド面における基礎部１３１に対するスライド部１３２の移動が、前後方向のスライド移動及び回動方向のスライド移動、及びそれらの複合スライド移動に規制される。これにより、スライド部１３２が必要以上に無駄な動きをすることを制限しながら、処理部１２１の肌への衝突などによる衝撃を和らげることができる。また、衝撃が緩和されるとともに、肌に対するヘッド１０２の追従性も良くなり、刃面と肌との密着性がよくなる。例えば、あご下からほほに向かって体毛処理機１００を動かす時に、ヘッド１０２がグリップ１０１に対し、ひねられるように動くことができる等、肌の輪郭が複雑な箇所においてもヘッド１０２の良好な追従性が得られ、刃面との良好な密着性が得られる。
【００２７】
第二規制部１６２は、第一規制部１６１により規制される基礎部１３１に対するスライド部１３２の移動をさらに所定の範囲で規制する構造部分である。本実施の形態の場合、具体的に第二規制部１６２は、基礎部１３１、および、スライド部１３２の一方に備えられ、第一突部１６７と同じ方向に突出する第二突部１６８と、基礎部１３１、および、スライド部１３２の他方に備えられ、スライド部１３２の前後方向のスライド移動および第一突部１６７を中心とする回動方向のスライド移動およびそれらの複合スライド移動に伴って第二突部１６８が移動することを所定範囲内で許容する穴１６６とを備えている。ここで同じ方向とは、平行、または、略平行な軸線上に第一突部１６７と第二突部１６８とが配置されることを意味し、突出の向きは同じ場合、および、逆の場合を含む。
【００２８】
穴１６６は、第一規制部１６１の溝１６５とは異なり、第二突部１６８がスライド面上の全方向に所定範囲で変位できる大きさと形状を有する。すなわち、第一規制部１６１と第二規制部１６２は、規制範囲が異なっている。また、第二規制部１６２は、第一規制部１６１の溝１６５の延在方向に直交する方向に並んで配置されている。この第二規制部１６２は、第一規制部１６１がある場合においては、スライド部１３２が必要以上に回動方向にスライドすることを制限する。
【００２９】
また、第一規制部１６１を省略した場合においては、第二規制部１６２は、スライド部１３２の移動を、スライド面上の全方向かつ所定範囲内でのスライド移動及び第二突部を中心とした回動方向のスライド移動、及びそれらの複合スライド移動に規制する。
【００３０】
以上の第一規制部１６１、および、第二規制部１６２の少なくとも一方を備えることで、単純かつ小さい構造でヘッド１０２の移動を所望の範囲に規制することができ、ヘッド１０２が必要以上に無駄な動きをすることが制限される。
【００３１】
なお、第一規制部１６１の溝１６５と第一突部１６７、および、第二規制部１６２の穴１６６と第二突部１６８とは、基礎部１３１、および、スライド部１３２のいずれかに設けられれば良い。また、溝１６５や穴１６６は、貫通孔でも凹部でもよい。要は、基礎部１３１とスライド部１３２とが、凹凸の係合関係を利用して係合されていれば足りる。
【００３２】
また、本実施の形態の場合、図４に示すように、継手部１０３はさらに、第一付勢部材１７１、および、第二付勢部材１７２（これらを総称して付勢部材と記載する場合がある。）を備えている。付勢部材１０７は、スライド面において、基礎部１３１に対しスライド部１３２をスライド方向に付勢する弾性部材であり、基礎部１３１に対しスライド部１３２を押し付けることによりヘッド１０２に力が加えられていない時にはスライド部１３２を初期位置に維持することができるものとなっている。
【００３３】
本実施の形態の場合、付勢部材はコイルバネであって、基礎部１３１に収容された状態で基礎部１３１の側壁部１３３の内面とスライド部１３２の外面との間に配置されている。
【００３４】
第一付勢部材１７１は、第一規制部１６１の溝１６５の延長上に配置され、溝１６５の延在方向に広がる方向の付勢力が発揮できる状態で配置されている。
【００３５】
第二付勢部材１７２は、スライド面に平行な面において第一付勢部材１７１と平行に並んで配置され、付勢方向が第二突部１６８を通過する位置に配置されている。また、第一付勢部材１７１と同様に広がる方向の付勢力が発揮できる状態で配置されている。すなわち、本実施形態では、第一付勢部材１７１と第二付勢部材１７２とは、前後方向の同一側にて、所定間隔離れた状態で並んで配置され、前後方向にてスライド部１３２を付勢している。このとき、第一付勢部材１７１、および第二付勢部材１７２は、前方から後方に向けて、共にスライド部１３２を付勢するように配置されている。なお、第一付勢部材１７１、および第二付勢部材１７２は、逆に後方から前方に向けて、共にスライド部１３２を付勢するように配置されていてもよい。これらの付勢部材は、ヘッド１０２を初期位置に戻す機能、ヘッド１０２が肌に押し当てられるときの肌への衝撃緩和効果をより良好にする機能も有する。
【００３６】
次に、体毛処理機１００の継手部１０３の動作について、図７から図１１を参照しながら、説明する。
【００３７】
なお、以下で説明する動作は、典型的な例である。つまり、継手部１０３のスライド部１３２は、実際には、ヘッド１０２が受ける力に応じて、基礎部１３１に対して規制された所定の範囲内で自在に移動できる。
【００３８】
図７から図１１は、それぞれ、継手部１０３の異なる移動動作の一例を示す底面図である。なお、図7から図１１は、付勢部材１０７が、前方から後方に向けて、スライド部１３２を付勢している構成を例に説明する。
【００３９】
図７は、グリップ１０１に対して、ヘッド１０２が左右方向の中央付近において、後方から前方に力を受けた場合の、継手部１０３の移動動作を示している。この場合、継手部１０３のスライド部１３２は、基礎部１３１に対して、前後方向に、ほぼ平行（平行を含む）に移動する。
【００４０】
また、図８は、グリップ１０１に対して、ヘッド１０２が左右方向の一端側において、後方から前方に力を受けた場合の、継手部１０３の移動動作を示している。この場合、第一規制部１６１の第一突部１６７は、溝１６５の後方側の端部１６５に係止された状態となる。一方、第二規制部１６２の第二突部１６８は、第一突部１６７を中心として、前方側に移動する。これにより、グリップ１０１に対して、スライド部１３２が回動する。
【００４１】
また、図９は、グリップ１０１に対して、ヘッド１０２が左右方向の他端側（図８と反対側の端部）において、後方から前方に力を受けた場合の、継手部１０３の移動動作を示している。この場合、第一規制部１６１の第一突部１６７は、溝１６５に沿って、後方から前方に移動する。一方、第二突部１６８は、穴１６６の内周に沿って、左右方向の他端側に向かって移動する。これにより、スライド部１３２が回動する。
【００４２】
また、図１０は、グリップ１０１に対して、ヘッド１０２の左右方向一端側と中央との間の中間位置において、後方から前方に力が加えられた場合の、継手部１０３の移動動作を示している。この場合、第一突部１６７は前方に移動する。その一方で、第二突部１６８は、第一突部１６７よりも大きく前方に移動しながら、左右方向他端側寄りに移動する。これにより、基礎部１３１に対して、スライド部１３２は、後方から前方に向うスライド移動と、底面側から見て時計回りの回動を同時に行う。
【００４３】
同様に、図１１は、グリップ１０１に対して、ヘッド１０２の、左右方向他端側と中央との間の中間位置において、後方から前方に力が加えられた場合の、継手部１０３の移動動作を示している。この場合、第一突部１６７は前方に移動する。その一方で、第二突部１６８は、第一突部１６７よりも小さく前方に移動しながら、左右方向他端側寄りに移動する。これにより、基礎部１３１に対して、スライド部１３２は、後方から前方に向うスライド移動と、底面側から見て反時計回りの回動を同時に行う。
【００４４】
以上のように、本実施の形態継手部１０３によれば、ヘッド１０２が肌に押し当てられるとき肌衝撃が良好に緩和される。また、刃面を肌に沿わせて体毛処理機１００を移動させた際、ヘッド１０２の肌面に対する追従性を向上させることが可能となる。
【００４５】
特にあご下からほほに向かってヘッド１０２を動かす時に、ヘッド１０２がひねり方向に動き、また、スライドしながら回動することができるため刃面と肌との密着性を向上させることが可能となる。さらに、付勢部材によりスライド部１３２が基礎部１３１に対して付勢されているため、肌にヘッド１０２が衝突した際の衝撃を付勢部材１０７が吸収し、より良好に緩和することが可能となる。
【００４６】
以下に、上記継手部１０３およびその近傍の構成要素について、図１２から図１４を参照しながら、説明する。
【００４７】
図１２は、継手部およびその近傍を分解して示す部材の斜視図である。図１３は、図１２に記載される部材を組み立てた状態を示す断面斜視図である。図１４は、体毛処理機を後方から示す平面図である。
【００４８】
図１２から図１４に示すように、体毛処理機１００はさらに、第一保持部１０４と、第二保持部１０５、第一固定部材１８１と、第二固定部材１８２と、操作部材１０９とを備えている。
【００４９】
第一保持部１０４は、継手部１０３を、グリップ１０１とヘッド１０２との並び方向（上下方向）の所定範囲内で移動可能に保持する部材である。本実施の形態の第一保持部１０４は、グリップ１０１に固定される。
【００５０】
第一保持部１０４は、例えば矩形箱状の部材で形成され、継手部１０３の基礎部１３１を収容する。第一保持部１０４は、基礎部１３１が備える４本の柱部１３５を、スライド面（ＸＹ平面に相当）と直交する方向に変位可能に保持する。
【００５１】
なお、第一保持部１０４と継手部１０３との間にはグリップ１０１からヘッド１０２に向かって付勢する付勢部材（図示せず）が配置されている。
【００５２】
第二保持部１０５は、ヘッド１０２を、前後方向および左右方向に揺動可能に保持する部材を構成する。第二保持部１０５は、継手部１０３のスライド部１３２に保持される。より詳しくは、第二保持部１０５は、図中に示すＸ軸方向である前後方向に延在する軸線を中心に、左右方向に揺動可能となるよう、スライド部１３２に保持される。さらに、第二保持部１０５は、ヘッド１０２を、図中に示すＹ軸方向である左右方向に延在する軸線を中心に、前後方向に揺動可能に保持する。
【００５３】
第一固定部材１８１は、基礎部１３１に対しスライド部１３２を解除可能に固定する部材である。本実施の形態の場合、第一固定部材１８１は、図４に示すようにスライド部１３２に設けられた第一貫通孔１３６、および、図６に示すように基礎部１３１に設けられた第二貫通孔１３７の両方を一度に貫く閂状の部材である。また、第一貫通孔１３６および第二貫通孔１３７は継手部１０３に２箇所設けられており、初期位置においていずれの第一貫通孔１３６と第二貫通孔１３７とが重なるものとなっている。第一固定部材１８１は、図１２に示すように、それぞれの貫通孔に対応する閂状の部分である閂部１８３を２本と、これらを一体に接続する梁部１８４とを備えている。また、第一固定部材１８１は、グリップ１０１の背面にスライド可能に取り付けられる操作部材１０９（図１４参照）と接続されている。
【００５４】
操作部材１０９をグリップ１０１からヘッド１０２の方向に向かってスライド移動させることで、第一固定部材１８１は、操作部材１０９に連動してスライド移動し、図１３に示すように、第一貫通孔１３６と第二貫通孔１３７とを閂部１８３が貫く。これにより、基礎部１３１に対しスライド部１３２がスライド面上でスライド移動しないように固定される。
【００５５】
本実施の形態の場合、第一固定部材１８１はさらに、基礎部１３１とスライド部１３２とを固定した状態で第一保持部１０４に対する継手部１０３の移動を解除可能に固定している。具体的には、操作部材１０９をヘッド１０２の方向にスライドさせることで、第一保持部１０４に対し基礎部１３１が最も突出した位置で維持されるように、第一固定部材１８１と基礎部１３１とが係合する。これにより、ヘッドの上下移動が固定される。
【００５６】
図１２に示す第二固定部材１８２は、グリップ１０１に対し第二保持部１０５およびヘッド１０２を解除可能に固定する部材である。本実施の形態の場合、第二固定部材１８２は、操作部材１０９に連動してスライド移動するように操作部材１０９に取り付けられている。第二固定部材１８２は、図１３に示すようにヘッド１０２に設けられた凹部１２３に突き刺さると共に、ヘッド１０２の外周面を押圧することができる部材である。
【００５７】
操作部材１０９をグリップ１０１からヘッド１０２の方向に向かってスライド移動させることで、第二固定部材１８２は第一固定部材１８１と共にヘッド１０２に向かってスライド移動し、図１３に示すように、ヘッド１０２の凹部１２３に突き刺さり、ヘッド１０２の外周面を２箇所で押圧することで、ヘッド１０２の前後方向及び左右方向の揺動を固定し第二保持部１０５を固定している。
【００５８】
以上の様に、体毛処理機１００は、肌に追随してヘッド１０２の姿勢を自在に変化させるばかりでなく、グリップ１０１に対するヘッド１０２の姿勢を選択的に固定することができる。従って、個人の好みや処理する部位に応じてヘッド１０２の姿勢を固定することで動きにロスがなく、スムーズに体毛を処理することができる。
【００５９】
また、多方向に姿勢を変化させることができるヘッド１０２を２つの固定部材により固定することができ、小さいスペースでヘッド１０２を固定することができる。また、一度の操作でヘッド１０２の全ての動きを固定できるため固定のための操作も容易になる。
【００６０】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００６１】
例えば、ヘッド１０２に備えられる処理部１２１は、体毛を切断する内刃と外刃とを備える場合を説明したが、これ以外にも処理部１２１は、体毛を挟んでひき抜くローラーなどでもかまわない。
【産業上の利用可能性】
【００６２】
本体毛処理機は体毛を切断する電気かみそりなどの他、例えば脱毛器または除毛器等の用途に利用できる。
【符号の説明】
【００６３】
１００    体毛処理機
１０１    グリップ
１０２    ヘッド
１０３    継手部
１０４    第一保持部
１０５    第二保持部
１０７    付勢部材
１０９    操作部材
１１１    電源スイッチ
１２１    処理部
１２２    ヘッドケース
１２３    凹部
１３１    基礎部
１３２    スライド部
１３３    壁部
１３４    底面部
１３５    柱部
１３６    第一貫通孔
１３７    第二貫通孔
１６１    第一規制部
１６２    第二規制部
１６５    溝
１６６    穴
１６７    第一突部
１６８    第二突部
１７１    第一付勢部材
１７２    第二付勢部材
１８１    第一固定部材
１８２    第二固定部材
１８３    閂部
１８４    梁部
【図１】
2018192250.tif 000003
【図２】
2018192250.tif 000004
【図３】
2018192250.tif 000005
【図４】
2018192250.tif 000006
【図５】
2018192250.tif 000007
【図６】
2018192250.tif 000008
【図７】
2018192250.tif 000009
【図８】
2018192250.tif 000010
【図９】
2018192250.tif 000011
【図１０】
2018192250.tif 000012
【図１１】
2018192250.tif 000013
【図１２】
2018192250.tif 000014
【図１３】
2018192250.tif 000015
【図１４】
2018192250.tif 000016